(57)【特許請求の範囲】
【請求項１】
所定の処理の対象である対象データを取得する対象データ取得部と、
前記対象データ取得部にて取得される対象データに基づいて、複数の表示対象物の内から該対象データについて前記所定の処理を施す場合に関連する所定の設定項目に対応付けられた表示対象物を抽出する抽出部と、
前記抽出部にて抽出される表示対象物に対応付けられている設定項目と前記対象データに施す前記所定の処理との関連度に関する情報を取得する関連度情報取得部と、
前記関連度情報取得部にて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも関連度が高い表示対象物が位置するように、前記抽出部にて抽出された表示対象物を表示させるとともに、前記対象データ取得部にて取得される対象データを該対象データについての前記所定の処理の実行に先立って第１番目の領域の内側に表示させる制御部と
を備えてなる表示制御装置。
【請求項２】
請求項１に記載の表示制御装置において、
前記対象データについて前記所定の処理を施す場合に関連する所定の設定項目とは、前記対象データに対して前記所定の処理を施す場合に使用され得る設定項目である表示制御装置。
【請求項３】
請求項１に記載の表示制御装置において、
前記第１番目〜第ｎ番目の複数の略環状の領域内に表示された表示対象物に対応する設定項目についての設定内容に関する情報を取得する設定情報取得部を備え、
前記制御部は、前記設定情報取得部にて取得された情報に基づいて、前記第１番目の領域の内側に表示させる対象データを、前記設定内容による前記所定の処理が反映された状態で表示させる表示制御装置。
【請求項４】
請求項３に記載の表示制御装置において、
前記制御部は、前記第１番目の領域の内側に表示させる対象データを、前記設定内容による前記所定の処理が反映された状態を視認可能な解像度で表示させる表示制御装置。
【請求項５】
請求項１に記載の表示制御装置において、
前記対象データは画像データであり、前記所定の処理は所定の画像処理である表示制御装置。
【請求項６】
請求項３に記載の表示制御装置において、
前記制御部は、前記対象データが複数ページの画像データである場合に、該画像データの所定のページ数分の一覧を、前記第１番目の領域の内側に表示させる表示制御装置。
【請求項７】
請求項１に記載の表示制御装置において、
前記制御部は、前記略環状の領域内で表示させる複数の表示対象物の内、関連度が高い表示対象物ほど、前記略環状の領域内における該領域の中央位置よりも上方に位置する所定位置を起点として、前記略環状の領域内における時計回り方向上流側に位置するように表示させる表示制御装置。
【請求項８】
請求項１に記載の表示制御装置において、
前記略環状の領域は略円環状の領域である表示制御装置。
【請求項９】
請求項１に記載の表示制御装置において、
前記制御部は、前記表示領域が、画面における中央位置よりも左側および上側のうち少なくとも一方の側に位置するように表示させる表示制御装置。
【請求項１０】
請求項１に記載の表示制御装置において、
前記表示対象物は、文字およびアイコンの内少なくともいずれかを含む表示制御装置。
【請求項１１】
請求項１乃至請求項１０のいずれか１項に記載の表示制御装置と、
前記表示制御装置による表示内容に基づくユーザの操作入力を受け付ける操作入力部と、
前記操作入力部にて受け付けた入力に基づいて、所定の画像処理を行う画像処理部とを備えてなる画像処理装置。
【請求項１２】
所定の処理の対象である対象データを取得する対象データ取得ステップと、
前記対象データ取得ステップにて取得される対象データに基づいて、複数の表示対象物の内から該対象データについて前記所定の処理を施す場合に関連する所定の設定項目に対応付けられた表示対象物を抽出する抽出ステップと、
前記抽出ステップにて抽出される表示対象物に対応付けられている設定項目と前記対象データに施す前記所定の処理との関連度に関する情報を取得する関連度情報取得ステップと、
前記関連度情報取得ステップにて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも関連度が高い表示対象物が位置するように、前記抽出ステップにて抽出された表示対象物を表示させるとともに、前記対象データ取得ステップにて取得される対象データを該対象データについての前記所定の処理の実行に先立って第１番目の領域の内側に表示させる制御ステップと
を備えてなる表示制御方法。
【請求項１３】
請求項１２に記載の表示制御方法において、
前記対象データについて前記所定の処理を施す場合に関連する所定の設定項目とは、前記対象データに対して前記所定の処理を施す場合に使用され得る設定項目である表示制御方法。
【請求項１４】
請求項１２に記載の表示制御方法において、
前記第１番目〜第ｎ番目の複数の略環状の領域内に表示された表示対象物に対応する設定項目についての設定内容に関する情報を取得する設定情報取得ステップを備え、
前記制御ステップは、前記設定情報取得ステップにて取得された情報に基づいて、前記第１番目の領域の内側に表示させる対象データを、前記設定内容による前記所定の処理が反映された状態で表示させる表示制御方法。
【請求項１５】
請求項１４に記載の表示制御方法において、
前記制御ステップは、前記第１番目の領域の内側に表示させる対象データを、前記設定内容による前記所定の処理が反映された状態を視認可能な解像度で表示させる表示制御方法。
【請求項１６】
請求項１２に記載の表示制御方法において、
前記対象データは画像データであり、前記所定の処理は所定の画像処理である表示制御方法。
【請求項１７】
請求項１４に記載の表示制御方法において、
前記制御ステップは、前記対象データが複数ページの画像データである場合に、該画像データの所定のページ数分の一覧を、前記第１番目の領域の内側に表示させる表示制御方法。
【請求項１８】
請求項１２に記載の表示制御方法において、
前記制御ステップは、前記略環状の領域内で表示させる複数の表示対象物の内、関連度が高い表示対象物ほど、前記略環状の領域内における該領域の中央位置よりも上方に位置する所定位置を起点として、前記略環状の領域内における時計回り方向上流側に位置するように表示させる表示制御方法。
【請求項１９】
請求項１２に記載の表示制御方法において、
前記略環状の領域は略円環状の領域である表示制御方法。
【請求項２０】
請求項１２に記載の表示制御方法において、
前記制御ステップは、前記表示領域が、画面における中央位置よりも左側および上側のうち少なくとも一方の側に位置するように表示させる表示制御方法。
【請求項２１】
請求項１２に記載の表示制御方法において、
前記表示対象物は、文字およびアイコンの内少なくともいずれかを含む表示制御方法。
【発明の詳細な説明】
【技術分野】
【０００１】
本発明は、アイコンや画像等の表示対象物を画面表示するインターフェース画面に関し、特にインターフェース画面における表示対象物の表示制御技術に関するものである。
【背景技術】
【０００２】
従来、画像データ等の所定のデータに対して画像処理等の所定の処理を行う場合、所定の処理を施した結果を予め確認するため、所定のデータを簡略化して示すために予め用意されたイメージアイコンや当該所定のデータの解像度を大幅に落とした画像データを表示させ、当該イメージアイコンまたは画像データに対して上記所定の処理を施した状態を概略的に反映させる、いわゆるプレビュー表示を行なう技術が知られる（例えば、特許文献１〜４参照。）。
【特許文献１】特開２００５−２０８３１５号公報
【特許文献２】特開２００５−１１５６８３号公報
【特許文献３】特開２００４−２８２４３９号公報
【特許文献４】特開２００２−２３２６８４号公報
【発明の開示】
【発明が解決しようとする課題】
【０００３】
しかし、上記従来技術におけるプレビュー表示では、プレビュー画面上で表示させるアイコンや画像データは、所定の処理の内容をおおまかに把握するための概略的なものであるため、その処理を施した状態を詳細に確認することができず、ユーザが希望する処理が正確に行えない場合があった。
【０００４】
また、上記従来技術におけるプレビュー表示では、ユーザが特に注目しようとする所定のデータの画像表示領域（所定のデータがプレビュー表示される領域）に対して、所定のデータに対して所定の処理を施す際にあまり関連性のない設定項目を示すアイコン等が近くに配置され、関連性のある設定項目を示すアイコン等が離れた位置に配置されていることがあり、ユーザが操作し難い場合があった。
【０００５】
本発明は上述した問題点を解決するためになされたものであり、所定のデータに対して所定の処理を行う場合におけるプレビュー表示において、所定のデータのプレビュー表示における視認性を高めるとともに、所定の処理に関連する設定項目を示すアイコン等の複数の表示対象物を画面上の適切な位置に配置し、ユーザの利便性の向上に寄与することのできる技術を提供することを目的とする。
【課題を解決するための手段】
【０００６】
上述した課題を解決するため、本発明に係る表示制御装置は、所定の処理の対象である対象データを取得する対象データ取得部と、前記対象データ取得部にて取得される対象データに基づいて、複数の表示対象物の内から該対象データについて前記所定の処理を施す場合に関連する所定の設定項目に対応付けられた表示対象物を抽出する抽出部と、前記抽出部にて抽出される表示対象物に対応付けられている設定項目と前記対象データに施す前記所定の処理との関連度に関する情報を取得する関連度情報取得部と、前記関連度情報取得部にて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも関連度が高い表示対象物が位置するように、前記抽出部にて抽出された表示対象物を表示させるとともに、前記対象データ取得部にて取得される対象データを該対象データについての前記所定の処理の実行に先立って第１番目の領域の内側に表示させる制御部とを備えてなることを特徴とするものである。
【０００７】
また、本発明に係る画像処理装置は、上述のような構成の表示制御装置と、前記表示制御装置による表示内容に基づくユーザの操作入力を受け付ける操作入力部と、前記操作入力部にて受け付けた入力に基づいて、所定の画像処理を行う画像処理部とを備えてなることを特徴とするものである。
【０００８】
また、本発明に係る表示制御方法は、所定の処理の対象である対象データを取得する対象データ取得ステップと、前記対象データ取得ステップにて取得される対象データに基づいて、複数の表示対象物の内から該対象データについて前記所定の処理を施す場合に関連する所定の設定項目に対応付けられた表示対象物を抽出する抽出ステップと、前記抽出ステップにて抽出される表示対象物に対応付けられている設定項目と前記対象データに施す前記所定の処理との関連度に関する情報を取得する関連度情報取得ステップと、前記関連度情報取得ステップにて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも関連度が高い表示対象物が位置するように、前記抽出ステップにて抽出された表示対象物を表示させるとともに、前記対象データ取得ステップにて取得される対象データを該対象データについての前記所定の処理の実行に先立って第１番目の領域の内側に表示させる制御ステップとを備えてなることを特徴とするものである。
【発明の効果】
【０００９】
以上に詳述したように本発明によれば、所定のデータに対して所定の処理を行う場合におけるプレビュー表示において、所定のデータのプレビュー表示における視認性を高めるとともに、所定の処理に関連する設定項目を示すアイコン等の複数の表示対象物を画面上の適切な位置に配置し、ユーザの利便性の向上に寄与することのできる技術を提供することができる。
【発明を実施するための最良の形態】
【００１０】
以下、本発明の実施の形態について図面を参照しつつ説明する。図１は、本実施の形態による表示制御装置２を備えた画像処理装置１の概要について説明するための外観斜視図である。ここでは、一例として、画像処理装置１がＭＦＰ（Multi Function Peripheral）である例を挙げる。
【００１１】
本実施の形態による画像処理装置１は、インターフェース画面１０１、ＡＤＦ（Auto Document Feeder）１０２、画像読取部１０３、手差し給紙部１０４、給紙カセット１０５、画像形成部１０６、認証処理部１０７および表示制御装置２を備えてなる構成となっている。
【００１２】
以下、本実施の形態による画像処理装置１の動作について簡単に説明する。画像処理装置１にてコピー処理（所定の画像処理）を行う場合、まず認証処理部１０７にてユーザの認証処理が行われる。続いて、認証処理に成功したユーザによるインターフェース画面１０１への操作入力に基づいて、ＡＤＦ１０２にセットされた原稿が画像読取部（画像処理部）１０３による原稿読取位置に対して自動搬送される。このようにして搬送された原稿は、画像読取部１０３にて画像を読み取られる。そして、インターフェース画面１０１への操作入力に基づいて選択された給紙方法により、給紙カセット１０５および手差し給紙部１０４の内いずれか一方により給紙動作が行なわれる。給紙された用紙は、画像形成部（画像処理部）１０６に搬送され、画像読取部１０３にて読み取られた画像に基づく画像形成処理が施され、コピー処理が完了する。
【００１３】
なお、インターフェース画面１０１は、例えばタッチパネルディスプレイから構成されており、インターフェース画面１０１における表示内容に基づくユーザの操作入力を受け付ける操作入力部としての役割も有している。
【００１４】
続いて、表示制御装置２について詳細に説明する。表示制御装置２は、画像処理装置１における「データ送信」、「お気に入り登録内容の呼出」、「スキャンプレビュー」、「プリント」、「データ保存」および「データ呼出」等の所定の処理の対象となる対象データに関連する文字やアイコン等の複数の表示対象物をインターフェース画面１０１上に画面表示させる役割を有している。なお、ここでの「文字」には「記号」が含まれ、「アイコン」には「図形」が含まれる。本実施の形態による表示制御装置では、文字およびアイコンの内少なくともいずれか一方を含むものを表示対象物として画面表示可能であるが、以下の説明では説明の便宜上、表示対象物を単に「アイコン」と表現する。
【００１５】
図２は、本実施の形態による表示制御装置２について説明するための機能ブロック図である。本実施の形態による表示制御装置２は、対象データ取得部２０１、抽出部２０２、関連度情報取得部２０３、設定情報取得部２０４、制御部２０５、ＣＰＵ８０１およびＭＥＭＯＲＹ８０２を備えてなる構成となっている。
【００１６】
対象データ取得部２０１は、所定の画像処理（所定の処理）の対象である画像データ（対象データ）を取得する。ここで、対象データ取得部２０１にて取得する画像データとしては、例えば画像処理装置１と通信可能な外部機器から送信される画像データや、画像読取部１０３にて原稿から読み取られた画像データなどが挙げられる。なお、対象データに対して施す所定の処理としては、例えば画像読取処理、プリント処理、コピー処理などが挙げられる。図３は、画像読取部１０３による画像読取処理を行なう際のスキャンプレビュー処理を行う場合における制御部２０５によるインターフェース画面１０１の画面表示例である。同図に示すインターフェース画面１０１にて原稿が片面、両面および本・雑誌の内いずれであるか、原稿はどのようなサイズか、原稿はどのような種別のものか、といったユーザによる設定が行なわれることにより、読取対象である原稿が特定される。対象データ取得部２０１は、図３に示す画面上でユーザによって「スキャンプレビュースタート」ボタンが押下された際に、画像読取部１０３にて読み取られる画像データを取得する。
【００１７】
なお、インターフェース画面１０１には、制御部２０５により、第１番目の円環状領域９０２および第２番目の円環状領域９０３から構成される表示領域であって、第１番目の円環状領域９０２が第２番目の円環状領域９０３の内側に位置する表示領域が表示されている。上記原稿を特定するための設定項目は、上記第１の円環状領域９０２の内側の領域９０１に表示される。
【００１８】
抽出部２０２は、対象データ取得部２０１にて取得される画像データに基づいて、複数のアイコンの内から該画像データについて所定の画像処理を施す場合に関連する所定の設定項目に対応付けられたアイコンを抽出する。なお、ここでの「画像データについて所定の画像処理を施す場合に関連する所定の設定項目」とは、画像データに対して所定の画像処理を施す場合に使用され得る設定項目を意味しており、所定の画像処理毎に予め対応付けられてＭＥＭＯＲＹ８０２に設定登録されている。
【００１９】
図４は、画像読取部１０３によるスキャン処理によって取得された画像データに対して画像編集処理を行なう場合に抽出部２０２により抽出されるアイコン群の一例を示す図である。ここでは、抽出部２０２によって、所定の設定項目である、画像データに対する色調整処理、濃度調整処理、データ圧縮処理、解像度変更処理、回転処理、下地調整処理、シャープネス調整処理、トリミング処理、ペンツール処理（アンダーライン等の書き込み処理）、スタンプ処理（ウォーターマーク等を付加する処理）、移動処理、消しゴム処理（任意の画素部分の画像を消す処理）、白黒反転処理および拡大縮小処理に対応付けられているアイコン７０１〜アイコン７１４が抽出されている。
【００２０】
関連度情報取得部２０３は、抽出部２０２にて抽出されるアイコンに対応付けられている設定項目と画像データに施す所定の画像処理との関連度に関する情報として、上記抽出されたアイコンに対応付けられている設定項目が画像処理装置１にて画像読取処理を行なう際に選択された頻度（例えば、過去の月当りの選択頻度）を取得する。図４に示す例では、最も関連度が高いアイコン７０１から最も関連度が低いアイコン７１４へと関連度（および選択頻度）が低くなっていっていることが分かる。このように、本実施の形態では過去の選択頻度の高さが、上記関連度を示す指標となっている。
【００２１】
制御部２０５は、関連度情報取得部２０３にて取得された情報に基づいて、第１番目の円環状領域９０２および第２番目の円環状領域９０３から構成される表示領域に対して、第１番目の円環状領域９０２内に第２番目の円環状領域９０３内に表示させるアイコンよりも関連度が高いアイコンが位置するように、抽出部２０２にて抽出されたアイコンを表示させるとともに、対象データ取得部２０１にて取得される画像データを、該画像データについての画像読取処理における所定フォーマットでの画像データの保存処理（画像処理）の実行に先立って第１番目の円環状領域９０２の内側に表示させる（図５参照）。ここでは、アイコン７０１〜アイコン７０７が第１番目の円環状領域９０２内に表示され、アイコン７０８〜アイコン７１４が第２番目の円環状領域９０３内に表示されている。なお、ある円環状領域内にいくつのアイコンを表示させるかは、その円環状領域に何個のアイコンを収容可能かによって決定してもよいし、予め各円環状領域について所定のアイコン配列数を決定しておいてもよい。この他、各円環状領域についてそれぞれグループを対応付けておき、設定項目に対応付けられている各アイコンが、必ずいずれかのグループに属するように設定しておくことで、抽出部２０２にて抽出されたアイコンをどの円環状領域内に配置するかを決めるようにしてもよい。この場合、内側の円環状領域に対応付けられているグループに属するアイコンほど上記関連度が高いということになり、あるアイコンの設定項目の上記関連度は、どのグループに属しているかを示す情報によっても判断することができる。
【００２２】
このように、第１番目の領域の内側に対象データを表示させることで、ユーザの注意を円環状の領域の中央位置近傍に惹きつけることができ、上述のように円環状の領域の中央に近づくほど当該対象データについての所定の処理に関連度の高い表示対象物が表示されるようにすることで、ユーザは円環状の領域の中央付近での視線移動だけで対象データに関する所定の処理に関する設定を行うことができ、ユーザの操作性の向上に寄与することができる。
【００２３】
設定情報取得部２０４は、第１番目の円環状領域９０２および第２番目の円環状領域９０３内に表示されたアイコンに対応する設定項目についての設定内容に関する情報を取得する。ここでは、例えばアイコン７１０に対応するスタンプ処理とアイコン７０９に対応するペンツール処理について設定が行なわれたものとする。この場合、設定情報取得部２０４は、スタンプ処理およびペンツール処理について行なわれた設定の内容に関する情報として、画像に対してスタンプするマークの種類、大きさ、位置等の情報や、画像に対するどの位置にアンダーラインを引くかといった情報を取得する。設定情報取得部２０４による上記設定情報の取得は、例えばインターフェース画面１０１へのユーザの操作入力の内容や、画像処理装置１と通信可能な外部機器から送信された設定情報から取得することにより行なわれる。なお、設定情報取得部２０４は、スタンプ処理やペンツール処理などの編集処理にて用いられる処理イメージ（アンダーラインやウォーターマーク等のイメージ）をＭＥＭＯＲＹ８０２から取得することもできる。
【００２４】
制御部２０５は、設定情報取得部２０４にて取得された情報に基づいて、図６に示すように、第１番目の円環状領域９０２の内側に表示させる画像データを、上記設定内容による画像編集処理が反映された状態で表示させる。ここでは、制御部２０５は、画像データに対してウォーターマークＳおよびアンダーラインＵが付加された（ウォーターマークＳおよびアンダーラインＵのイメージが画像データに対して重ね合わされた）状態を画面表示させている。
【００２５】
また制御部２０５は、第１番目の円環状領域９０２の内側に表示させる画像データを、所望の設定内容での画像編集処理が反映された状態を視認可能な解像度で表示させている。このように、対象データをそのままの解像度で画面表示させるのではなく、所定の処理が反映されている状態を視認できる程度の解像度で画面表示させることにより処理負担を軽減しつつ、対象データに対してその設定内容で所定の処理を施した場合の結果がどうなるのかを、所定の処理を実行する前に（プレビュー画面上で）把握することが可能となる。
【００２６】
制御部２０５は、対象データが複数ページの画像データである場合に、該画像データの所定のページ数分の一覧を、第１番目の領域の内側に表示させるようになっている。この一覧表示画面は、図６に示す画面上で表示切替アイコン９０１ａを選択することにより表示される。図７は、上記画像編集処理の内容が反映された状態の複数ページの画像データを一覧表示したインターフェース画面１０１を示す図である。このように、所定の処理が反映されている状態の複数ページ分の画像データを、所定の処理を実際に実行する前に確認することができるため、「全体的にウォーターマークの位置が主要コンテンツと重なり過ぎている」、「隣接するページ同士のコンテンツの関係から考慮するとステイプルの位置が好ましくない」といったような、複数ページを一覧して初めて気が付くような設定ミスも事前に把握することができる。このようにして、ユーザは同図に示す画面上で、編集状態の確認や、各ページの入れ替え、両面印刷の際の「裏」「表」の切り替え表示などを行なうことが可能となる。
【００２７】
また制御部２０５は、円環状の領域内で表示させる複数のアイコンの内、関連度が高いアイコンほど、円環状の領域内における該領域の中央位置よりも上方に位置する所定位置を起点として、円環状の領域内における時計回り方向上流側に位置するように表示させる。このように、アイコンを関連度の高いものから時計回り方向に配列するように表示させることにより、環状に物が配列されている場合に時計回りに物を観察してゆく人間の習性を利用して、関連度の高いアイコンほどユーザの注意を惹きやすい配置にすることができる。
【００２８】
また、上述の環状の領域は、必ずしも完全な環を形成している必要はなく、環の一部が欠けているような形状（略環状）であってもよい。すなわち、隣接する略環状の領域間において何れが内側に位置する領域であるかが認識できる程度に内側の領域を囲むことができる形状であればよい。また、上述の環状の領域は、環状領域の中心からの半径（距離）によってアイコンの関連度を容易に把握することができ、且つアイコン群をタブ表示やツリー表示によって分類する場合に比べ多くのアイコンを表示することができるため「円環状」であることが好ましいが、必ずしもこれに限られるものではなく、例えば多角形状の輪郭を有する環状領域であってもよい。また、隣接して配置される複数の環状領域は、全てが近似する形状の輪郭を有する必要はなく、異なる輪郭を有する環状領域の組合わせであってもよい。
【００２９】
また制御部２０５は、表示領域が、画面における中央位置よりも左側および上側のうち少なくとも一方の側に位置するように表示させる。一般に、ユーザインターフェースを設計する際には、重要度の高いものは左側あるいは上側に配置し、重要度の低いものは右側あるいは下側に配置するという原則がある。よって、この原則に則ってアイコンを画面上に配列することが好ましい。すなわち、表示領域全体を画面上の中央位置よりも左側、上側、あるいは左上側に配置することにより、必然的に重要度の高いアイコンが画面上の中央位置よりも左側、上側、あるいは左上側に位置することになり、外側の環状領域に配置されている重要度の低いアイコンが画面上の中央位置よりも右側、下側、あるいは右下側に位置することになる。これにより、ユーザインターフェースの一般的な設計原則に則った（ユーザにとって自然な）アイコンの配列とすることができ、ユーザの操作性の向上に寄与することができる。
【００３０】
ＣＰＵ８０１は、画像処理装置１および表示制御装置２における各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像処理装置１および表示制御装置２において利用される種々の情報やプログラムを格納する役割を有している。
【００３１】
図８は、本実施の形態による表示制御装置２における処理（表示制御方法）の流れについて説明するためのフローチャートである。
【００３２】
まず、対象データ取得部２０１は、所定の処理の対象である対象データを取得する（対象データ取得ステップ）（Ｓ１０１）。
【００３３】
抽出部２０２は、対象データ取得ステップにて取得される対象データに基づいて、複数の表示対象物の内から該対象データについて所定の処理を施す場合に関連する所定の設定項目（対象データに対して所定の処理を施す場合に使用され得る設定項目）に対応付けられた表示対象物を抽出する（抽出ステップ）（Ｓ１０２）。
【００３４】
関連度情報取得部２０３は、抽出ステップにて抽出される表示対象物に対応付けられている設定項目と対象データに施す所定の処理との関連度に関する情報を取得する（関連度情報取得ステップ）（Ｓ１０３）。なお、ここでは例えば、対象データは画像データであり、所定の処理は所定の画像処理であるものとする。
【００３５】
設定情報取得部２０４は、第１番目〜第ｎ番目の複数の略環状の領域内に表示された表示対象物に対応する設定項目についての設定内容に関する情報を取得する（設定情報取得ステップ）（Ｓ１０４）。
【００３６】
制御部２０５は、関連度情報取得ステップにて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも関連度が高い表示対象物が位置するように、抽出ステップにて抽出された表示対象物を表示させるとともに、対象データ取得ステップにて取得される対象データを該対象データについての所定の処理の実行に先立って第１番目の領域の内側に表示させる（制御ステップ）（Ｓ１０５）。なお、上述の略環状の領域は、略円環状の領域であることが好ましい。
【００３７】
また制御ステップでは、設定情報取得ステップにて取得された情報に基づいて、第１番目の領域の内側に表示させる対象データを、設定内容による所定の処理が反映された状態で、且つ設定内容による所定の処理が反映された状態を視認可能な解像度で表示させる。また制御ステップは、対象データが複数ページの画像データである場合に、該画像データの所定のページ数分の一覧を、第１番目の領域の内側に表示させる。
【００３８】
制御ステップでは、表示領域が、画面における中央位置よりも左側および上側のうち少なくとも一方の側に位置するように表示させる。また、制御ステップは、略環状の領域内で表示させる複数の表示対象物の内、関連度が高い表示対象物ほど、円環状の領域内における該領域の中央位置よりも上方に位置する所定位置を起点として、略環状の領域内における時計回り方向上流側に位置するように表示させる。
【００３９】
上述の表示制御装置２での処理における各ステップは、ＭＥＭＯＲＹ８０２に格納されている表示制御プログラムをＣＰＵ８０１に実行させることにより実現されるものである。
【００４０】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４１】
なお、本実施の形態では、説明の便宜上、抽出部２０２、関連度情報取得部２０３および制御部２０５により情報を読み出す記憶領域がＭＥＭＯＲＹ８０２により実現されている（ＭＥＭＯＲＹ８０２に必要とする情報が格納されている）例を示したが、例えば画像処理装置１の外部に配置されたデータベース等によって上記記憶領域を実現するようにしてもよい。すなわち、上記記憶領域は、抽出部２０２、関連度情報取得部２０３および制御部２０５との情報のやり取りが行なえる状態にあればよく、その配置場所は問わない。
【００４２】
また、本実施の形態では、画像処理装置１がＭＦＰである例を挙げたが、これに限られるものではなく、プリンタ、スキャナ、ＰＣ（Personal Computer）およびＭＭＫ（Multi Media Kiosk）等のように、画像形成処理、画像読取処理、画像編集処理および撮像処理といった所定の画像処理を行う装置において本発明は適用可能であることは言うまでもない。
【００４３】
このように、本実施の形態によれば、例えばスキャン処理にて読み込んだ全ての画像をリアルプレビュー（実際に取り込んだ画像データ）で表示することで、最終的にプリントする編集イメージをより実際の処理結果に近い状態で確認することができ、ユーザが意図しない状態で処理された画像データのプリントやハードディスクへの書き込み等の無駄な処理の実行を回避することができる。
【００４４】
本発明を特定の態様により詳細に説明したが、本発明の精神および範囲を逸脱しないかぎり、様々な変更および改質がなされ得ることは、当業者には自明であろう。
【図面の簡単な説明】
【００４５】
【図１】本実施の形態による表示制御装置２を備えた画像処理装置１の概要について説明するための外観斜視図である。
【図２】本実施の形態による表示制御装置２について説明するための機能ブロック図である。
【図３】画像読取部１０３による画像読取処理を行なう際のスキャンプレビュー処理を行う場合における制御部２０５によるインターフェース画面１０１の画面表示例である。
【図４】画像読取部１０３によるスキャン処理によって取得された画像データに対して画像編集処理を行なう場合に抽出部２０２により抽出されるアイコン群の一例を示す図である。
【図５】制御部２０５によるインターフェース画面１０１の画面表示例を示す図である。
【図６】制御部２０５によるインターフェース画面１０１の画面表示例を示す図である。。
【図７】画像編集処理の内容が反映された状態の複数ページの画像データを一覧表示したインターフェース画面１０１を示す図である。
【図８】本実施の形態による表示制御装置２における処理（表示制御方法）の流れについて説明するためのフローチャートである。
【符号の説明】
【００４６】
２  表示制御装置、２０１  対象データ取得部、２０２  抽出部、２０３  関連度情報取得部、２０４  設定情報取得部、２０５  制御部、８０１  ＣＰＵ、８０２  ＭＥＭＯＲＹ。
【図１】
0004818791.tif 000002
【図２】
0004818791.tif 000003
【図３】
0004818791.tif 000004
【図４】
0004818791.tif 000005
【図５】
0004818791.tif 000006
【図６】
0004818791.tif 000007
【図７】
0004818791.tif 000008
【図８】
0004818791.tif 000009